(57)【要約】【課題】省スペースであると共にシート状物品を容易に取り出せる卓上シート収納容器及びシート状物品収納セットを提供する。【解決手段】シート状物品５１，５２の積層体５０を内部に収納可能であって、それぞれ前面２、後面４、並びに２つの側面５，７を構成する四角筒状の胴部１０１と、前面、後面、及び側面の一端にそれぞれ連接する底面９と、後面に対して立設する容器支持片２１と、を備え、後面の他端４ａが前面の他端２ａより突出し、側面の他端５ａ、７ａが後面から前面に向かって下がるよう傾斜して形成され、胴部の他端側の開口１００ａから積層体を内部に収納可能であって、底面を下にして支持対象２００上に設置した際、後面と底面との稜線Ｃ４と、容器支持片の端部２１ａとで支持され、前面が支持対象の垂線２００ｎに対して斜めに向く卓上シート収納容器１００である。【選択図】図１
2011251714.tif 000002
【特許請求の範囲】
【請求項１】
シート状物品の積層体を内部に収納可能な卓上シート収納容器であって、
それぞれ前面、該前面に対向する後面、並びに前記前面及び前記後面に隣接する２つの側面を構成する四角筒状の胴部と、
前記前面、前記後面、及び前記側面の一端にそれぞれ連接する底面と、
前記後面に対して立設する容器支持片と、を備え、
前記後面の他端が前記前面の他端より突出し、前記側面の他端が前記後面から前記前面に向かって下がるよう傾斜して形成され、
前記胴部の前記他端側の開口から前記積層体を内部に収納可能であって、
前記底面を下にして支持対象上に設置した際、前記後面と前記底面との稜線と、前記容器支持片の端部とで支持され、前記前面が前記支持対象の垂線に対して斜めに向く卓上シート収納容器。
【請求項２】
前記卓上シート収納容器は、板材を折線から折曲げて組立てる折畳み可能な展開構造をなす折り畳み式であり、
前記後面の一部を切り抜いて形成され、前記胴部の軸線方向に垂直な前記折線で折り曲げて前記容器支持片に係合する容器支持片押さえをさらに備え、
前記前面及び前記後面の一端にそれぞれ前面側フラップ及び後面側フラップが連接され、
前記側面の一端に側面側フラップが連接され、
前記容器支持片は、前記後面の一部を切り抜いて形成され、前記胴部の軸線方向に沿う前記折線で折り曲げて前記後面に対して立設可能であり、
前記胴部を四角筒状に起函し、前記前面側フラップ及び前記後面側フラップを前記折線で直角に折り曲げて互いに重ね合わせ、かつ前記側面側フラップを前記折線で直角に折り曲げて前記前面側フラップ及び前記後面側フラップの少なくとも一方に係合することにより、前記前面側フラップ及び前記後面側フラップが前記胴部の底面を構成する請求項１記載の卓上シート収納容器。
【請求項３】
前記容器支持片を立設したとき、前記底面側の前記容器支持片の側端が、前記後面と前記底面との前記稜線を起点とし前記底面から遠ざかるように傾斜し、
前記底面を下にして前記卓上シート収納容器を設置した際、前記側端が前記支持対象に沿って線で接する請求項１又は２記載の卓上シート収納容器。
【請求項４】
前記底面は、前記前面から前記後面に向かって前記側端と一直線上に並ぶように傾斜する請求項１〜３のいずれかに記載の卓上シート収納容器。
【請求項５】
請求項１〜４のいずれかに記載の前記積層体と前記卓上シート収納容器とを有するシート状物品収納セットであって、
前記シート状物品は交互に折り込まれずに積層されて包装され、
前記積層体は、積層方向が前記前面に垂直になるようにして前記卓上シート収納容器に収納可能であって、
前記卓上シート収納容器に前記積層体を収納したとき、該積層体の一部が前記前面の他端から表出しているシート状物品収納セット。
【請求項６】
前記包装には、前記前面の他端に沿って少なくとも前記側面側に至るまで前記包装を破断するガイドが設けられている請求項５記載のシート状物品収納セット。
【請求項７】
前記軸線方向に沿う前記シート状物品の端縁の少なくとも一方が中央部近傍に折り返されている請求項５又は６記載のシート状物品収納セット。
【請求項８】
前記卓上シート収納容器に前記積層体を収納したとき、前記軸線方向に沿う前記前面の高さＬｆと、前記前面の他端から表出する前記積層体の表出高さＬｅとの比が、Ｌｆ：Ｌｅ＝４：１〜２：１の間にある請求項５〜７のいずれか記載のシート状物品収納セット。
【発明の詳細な説明】
【技術分野】
【０００１】
本発明は、家庭用、産業用又は業務用で使用されるペーパーナプキン、ティッシュペーパー等のシート状物品の卓上収納容器及びシート状物品収納セットに関する。
【背景技術】
【０００２】
ペーパーナプキン、ティッシュペーパー等のシート状物品の積層体を収容し、食卓等に設置するための卓上収納容器が各種開発されている。このような卓上収納容器としては、シート状物品同士を交互に折り込んで積層しポップアップ可能に構成し、容器の前面からシート状物品をポップアップ式に取り出すもの（特許文献１参照）、ティッシュペーパーを積層方向が横になるようにしてコップ状のティッシュケースに入れ、上から個々のティッシュペーパーを抜き去るもの（特許文献２参照）、ティッシュペーパーを積層方向が横になるようにしてティッシュケースに入れ、上面のスリット状の取り出し口から個々のティッシュペーパーを上に抜き去るもの（特許文献３参照）が開示されている。
【先行技術文献】
【特許文献】
【０００３】
【特許文献１】特開2009-7016号公報
【特許文献２】特開2006-225033号公報
【特許文献３】実登3137981号公報
【発明の概要】
【発明が解決しようとする課題】
【０００４】
ところで、家庭の食卓等のスペースが限られる場所では、容器の前面からシート状物品をポップアップ式に取り出すタイプのものは、側方に飛び出したシート状物品が人の体等に触れたり、容器の片付けの際にシート状物品が不用意に取り出される可能性がある。
又、容器の上方からシート状物品を上に抜き去るタイプのものは、背が低い人にとってシート状物品が取り出し難いことがある。
又、卓上収納容器をボール紙等の板材から折畳み可能に形成し、シート状物品の積層体とまとめたセット品として流通、販売すれば、商品の陳列スペースが小さくなると共に、消費者にとっても消耗品として購入しやすく便利である。
すなわち、本発明は、省スペースであると共にシート状物品を容易に取り出せる卓上シート収納容器及びシート状物品収納セットの提供を目的とする。
【課題を解決するための手段】
【０００５】
上記課題を解決するため、本発明の卓上シート収納容器は、シート状物品の積層体を内部に収納可能な卓上シート収納容器であって、それぞれ前面、該前面に対向する後面、並びに前記前面及び前記後面に隣接する２つの側面を構成する四角筒状の胴部と、前記前面、前記後面、及び前記側面の一端にそれぞれ連接する底面と、前記後面に対して立設する容器支持片と、を備え、前記後面の他端が前記前面の他端より突出し、前記側面の他端が前記後面から前記前面に向かって下がるよう傾斜して形成され、前記胴部の前記他端側の開口から前記積層体を内部に収納可能であって、前記底面を下にして支持対象上に設置した際、前記後面と前記底面との稜線と、前記容器支持片の端部とで支持され、前記前面が前記支持対象の垂線に対して斜めに向く。
このようにすると、卓上シート収納容器が支持対象に対して傾くので、積層体（シート状物品）の表面も斜めに傾き、最も前方のシート状物品の表面を摘み易くなり、ひいてはシート状物品を取り出し易くなる。これに対し、卓上シート収納容器が支持対象に垂直に設置される場合、積層体（シート状物品）の表面も垂直になるので、最も前方のシート状物品の表面を摘み難い。そのため、シート状物品の上端を摘む必要があるが、上端は表面に比べて小さいので１枚のシート状物品のみを摘むのが難しく、誤って複数枚のシート状物品を取り出すことがある。
【０００６】
前記卓上シート収納容器は、板材を折線から折曲げて組立てる折畳み可能な展開構造をなす折り畳み式であり、前記後面の一部を切り抜いて形成され、前記胴部の軸線方向に垂直な前記折線で折り曲げて前記容器支持片に係合する容器支持片押さえをさらに備え、前記前面及び前記後面の一端にそれぞれ前面側フラップ及び後面側フラップが連接され、前記側面の一端に側面側フラップが連接され、前記容器支持片は、前記後面の一部を切り抜いて形成され、前記胴部の軸線方向に沿う前記折線で折り曲げて前記後面に対して立設可能であり、前記胴部を四角筒状に起函し、前記前面側フラップ及び前記後面側フラップを前記折線で直角に折り曲げて互いに重ね合わせ、かつ前記側面側フラップを前記折線で直角に折り曲げて前記前面側フラップ及び前記後面側フラップの少なくとも一方に係合することにより、前記前面側フラップ及び前記後面側フラップが前記胴部の底面を構成することが好ましい。
このように、卓上収納容器を折畳み、シート状物品の積層体とまとめたセット品として流通、販売すれば、商品の陳列スペースが小さくなると共に、消費者にとっても消耗品として購入しやすく便利である。
【０００７】
前記容器支持片を立設したとき、前記底面側の前記容器支持片の側端が、前記後面と前記底面との前記稜線を起点とし前記底面から遠ざかるように傾斜し、前記底面を下にして前記卓上シート収納容器を設置した際、前記側端が前記支持対象に沿って線で接するとよい。
このようにすると、容器支持片の側端全体が支持対象に接するので、卓上シート収納容器を安定して設置できる。
【０００８】
前記底面は、前記前面から前記後面に向かって前記側端と一直線上に並ぶように傾斜するとよい。
このようにすると、容器支持片の側端に加え、底面全体が支持対象に接するので、卓上シート収納容器をさらに安定して設置できる。
【０００９】
本発明のシート状物品収納セットは、前記積層体と前記卓上シート収納容器とを有し、前記シート状物品は交互に折り込まれずに積層されて包装され、前記積層体は、積層方向が前記前面に垂直になるようにして前記卓上シート収納容器に収納可能であって、前記卓上シート収納容器に前記積層体を収納したとき、該積層体の一部が前記前面の他端から表出している。
このように、積層方向が前面に垂直になるようにして積層体を卓上シート収納容器に収納することで、積層体の厚みを適度に薄くすれば卓上シート収納容器の厚みも薄くなり、卓上シート収納容器を省スペースにすることができる。又、卓上シート収納容器を積層体とまとめたセット品として流通、販売することで商品の陳列スペースが小さくなると共に、消費者にとっても消耗品として購入しやすく便利である。
【００１０】
本発明のシート状物品収納セットにおいて、前記包装には、前記前面の他端に沿って少なくとも前記側面側に至るまで前記包装を破断するガイドが設けられているとよい。
このようにすると、ガイドで包装を破断したとき、前面の上端から積層体が表出するとともに、上端より下側の積層体には包装が残り、積層体への汚れの付着等を防止できる。
【００１１】
本発明のシート状物品収納セットにおいて、前記軸線方向に沿う前記シート状物品の端縁の少なくとも一方が中央部近傍に折り返されているとよい。
このようにすると、卓上シート収納容器に積層体を収納し、最も前方のシート状物品の表面を持つ際、表面中央付近に突出した両端縁を掴むことができるので、シート状物品を取り出し易くなる。
【００１２】
本発明のシート状物品収納セットにおいて、前記卓上シート収納容器に前記積層体を収納したとき、前記軸線方向に沿う前記前面の高さＬｆと、前記前面の他端から表出する前記積層体の表出高さＬｅとの比が、Ｌｆ：Ｌｅ＝４：１〜２：１の間にあるとよい。
Ｌｆ：Ｌｅが４：１を超えると、表出高さＬｅが小さくなって最も前方のシート状物品５１の表面を摘み難い場合がある。Ｌｆ：Ｌｅが２：１未満であると、表出高さＬｅが大きくなって積層体が表出し過ぎ、積層体が汚れたり、積層体が卓上シート収納容器から脱落する可能性がある。
【発明の効果】
【００１３】
この発明によれば、省スペースであると共にシート状物品を容易に取り出せる卓上シート収納容器及びシート状物品収納セットが得られる。
【図面の簡単な説明】
【００１４】
【図１】本発明の第１の実施形態に係る卓上シート収納容器に積層体を収容した状態の斜視図である。
【図２】支持対象上に卓上シート収納容器を設置した状態の側面図である。
【図３】各シート状物品を図１の上側から見た断面図である。
【図４】折り方を変えた各シート状物品を図１の上側から見た断面図である。
【図５】折り方をさらに変えた各シート状物品を図１の上側から見た断面図である。
【図６】後面側から見た卓上シート収納容器の斜視図である。
【図７】卓上シート収納容器を組立てる前の折り畳んだ状態の斜視図である。
【図８】各フラップを組合わせて底面を形成した状態を示す図である。
【図９】支持対象上に第２の実施形態に係る卓上シート収納容器を設置した状態の側面図である。
【図１０】本発明の第１の実施形態に係るシート状物品収納セットを示す側面図である。
【図１１】積層体の包装に設けられたガイドを示す斜視図である。
【図１２】２つ折りした各シート状物品と包装の位置関係を示す側面図である。
【図１３】本発明の第２の実施形態に係るシート状物品収納セットを示す側面図である。
【発明を実施するための形態】
【００１５】
以下、本発明の実施形態について説明する。
図１は、本発明の第１の実施形態に係る卓上シート収納容器１００に積層体５０を収容した状態の斜視図を示す。卓上シート収納容器１００は、上部に開口１００ａを有する概ね箱型をなし、開口１００ａから積層体５０を内部に収納可能になっている。又、卓上シート収納容器１００は、板紙を折線から折曲げて組立てる折畳み可能な展開構造をなす折り畳み式になっている。
卓上シート収納容器１００は、前面２、前面２に対向する後面４、並びに前面２及び後面４に隣接する２つの側面５，７を構成する四角筒状の胴部１０１と、後面４から立設する略三角形の容器支持片２１と、底面９とを備え、底面９を下にして支持対象上に載置されている。なお、各面２、４、５、７にそれぞれ平行な方向を、胴部１０１の軸線方向Ｌと規定する。又、「横」は軸線方向Ｌに垂直な方向であり、「高さ」は軸線方向Ｌに沿う方向である。
後面４の上端（特許請求の範囲の「他端」に相当、以下同様）４ａは、前面２の上端２ａより上に突出し、それぞれ側面５，７の上端５ａ、７ａが後面４から前面２に向かって下がるよう傾斜して形成されている。
【００１６】
積層体５０は矩形のシート状物品５１、５２を複数枚積層してなる。そして、前面２と後面４との間隔は積層体５０の積層方向Ｓの厚みよりやや広く、積層体５０の表面（積層方向Ｓに垂直な面）が前面２に向くようにして卓上シート収納容器１００に収納される。このようにすると、積層体５０の厚みを積層体５０の縦横の寸法より小さくすれば、卓上シート収納容器１００の厚みも薄くなり、卓上シート収納容器１００の省スペース化が図られる。シート状物品５１、５２は、例えばペーパーナプキン、ティッシュペーパーであるが、これらに限定されず、各種の不織布を用いることもできる。
例えば、この実施形態では、卓上シート収納容器１００の横幅（内寸）は約１００ｍｍ、前面２の高さは約８０ｍｍ、後面４の高さは約１００ｍｍであるのに対し、卓上シート収納容器１００の厚み（前面２と後面４との内寸間隔）は約４０ｍｍである。又、積層体５０の横幅は約１００ｍｍ、縦（軸線方向Ｌに沿う高さＨ）は約１２０ｍｍ、厚みは約４０ｍｍであり、積層体５０が軸線方向Ｌに沿って前面２の上端より上に表出している。
【００１７】
なお、この実施形態では、積層体５０は前面２の上端だけでなく、後面４の上端より上に表出しているが、少なくとも前面２の上端より上に表出していれば、後面４の上端より積層体５０が上に表出していなくてもよい。後述するように、積層体５０が前面２の上端より上に表出していれば、最も前方のシート状物品５１の表面を摘めるからである。
又、後面４の上端が積層体５０より上に位置すると、後面４の上端で積層体５０を保持できるので好ましい。
【００１８】
図２に示すように、支持対象２００上に卓上シート収納容器１００を設置した際、後面４と底面９との折線Ｃ４と、容器支持片２１の端部２１ａとで卓上シート収納容器１００を支持し、前面２が支持対象２００の垂線２００ｎに対して斜めに向く（前面２が支持対象２００表面と鈍角をなす）ようになっている。
このように、卓上シート収納容器１００が支持対象２００に対して傾くように設置することで、積層体５０（シート状物品５１、５２）の表面も斜めに傾き、最も前方のシート状物品５１の表面を摘み易くなり、ひいてはシート状物品５１を取り出し易くなる。これに対し、卓上シート収納容器１００が支持対象２００に垂直に設置される場合、積層体５０（シート状物品５１、５２）の表面も垂直になるので、最も前方のシート状物品５１の表面を摘み難い。そのため、シート状物品５１の上端を摘む必要があるが、上端は表面に比べて小さいので１枚のシート状物品のみを摘むのが難しく、誤って複数枚のシート状物品を取り出すことがある。
なお、この実施形態では、容器支持片２１の底面９側の側端２１Ｌは底面９に連続しており、側端２１Ｌが支持対象２００表面に沿って線で接している。このようにすると、容器支持片２１の側端２１Ｌ全体が支持対象２００に接するので、卓上シート収納容器１００を安定して設置できる。ここで、卓上シート収納容器１００が支持対象２００に対して傾く角度は、側端２１Ｌと後面４とのなす角によって決まる。
【００１９】
図１に戻り、軸線方向Ｌに沿う前面２の高さＬｆと、前面２の上端２ａから表出する積層体５０の表出高さＬｅとの比が、Ｌｆ：Ｌｅ＝４：１〜２：１の間にあることが好ましい。Ｌｆ：Ｌｅが４：１を超えると、表出高さＬｅが小さくなって最も前方のシート状物品５１の表面を摘み難い場合がある。Ｌｆ：Ｌｅが２：１未満であると、表出高さＬｅが大きくなって積層体５０が表出し過ぎ、積層体５０が汚れたり、積層体５０が卓上シート収納容器１００から脱落する可能性がある。
【００２０】
図３は、各シート状物品５１、５２・・・を図１の上側から見た断面図である。シート状物品５１は４つ折りされている（シート状物品５２以降も同様）。ここで、４つ折りとは、軸線方向Ｌに沿う方向でシート状物品を２つ折りした後、軸線方向Ｌに垂直な方向に２つ折りしたものである。この場合、シート状物品５１の両端縁５１ａ、５１ｂは、積層体５０の軸線方向Ｌに沿う一方の端部に位置する。なお、図３の左の参考図は、軸線方向Ｌに沿う方向でシート状物品を２つ折りした状態を示す。
【００２１】
なお、図１に示すように、この実施形態では、積層体５０の軸線方向Ｌに沿う高さＨを、卓上シート収納容器１００の横幅（内寸）Ｗより長くしている。
【００２２】
又、各シート状物品５１、５２同士は交互に折り込まれずに積層されている。通常のティッシュボックスの場合、各シート状物品同士は交互に折り込まれ、いわゆるポップアップ式の積層体を収容し、最先頭のシート状物品はスリット状の取り出し口で拘束されている。これに対し、本発明では、積層体５０は卓上シート収納容器１００の開口１００ａから表出しており、最も前方のシート状物品５１は特に拘束されていない。このため、各シート状物品５１、５２同士を交互に折り込むと、シート状物品５１を取り出した際に次のシート状物品５２も誤って取り出されるおそれがある。そこで、各シート状物品５１、５２同士を交互に折り込まずに積層することで、上記した不具合を防止できる。
【００２３】
図４は、折り方を変えた各シート状物品５１、５２・・・を図１の上側から見た断面図である。シート状物品５１は、両端縁５１ａ、５１ｂが中央部近傍に折り返されてＣ折りされており（シート状物品５２以降も同様）、両端縁５１ａ、５１ｂはわずかに離間している。なお、この実施形態では、Ｃ折りした各シート状物品５１、５２・・・をＣ折り方向と垂直な方向に２つ折りしている。従って、各シート状物品５１、５２・・・の表面と裏面のいずれにも両端縁が中央部近傍に折り返された部分が現れる。
このように、各シート状物品５１・・・の両端縁５１ａ、５１ｂ・・・を中央部近傍に折り返し、両端縁５１ａ、５１ｂが軸線方向Ｌに沿うように積層体５０を卓上シート収納容器１００に収納すると（図１参照）、最も前方のシート状物品５１の表面を持つ際、表面に突出した両端縁５１ａ、５１ｂを掴むことができるので、シート状物品５１を取り出し易くなる。
【００２４】
なお、図１に示すように、積層体５０の軸線方向Ｌに沿う高さＨを、卓上シート収納容器１００の横幅（内寸）Ｗより長くすると、積層体５０を卓上シート収納容器１００に一方向のみから収納するようになるので好ましい。このようにすると、図４の折り方をした積層体５０の場合、両端縁５１ａ、５１ｂを軸線方向Ｌに垂直にして（つまり、両端縁５１ａ、５１ｂの延びる方向を横に向けて）積層体５０を卓上シート収納容器１００に収納することができず、常に両端縁５１ａ、５１ｂが軸線方向Ｌに沿うよう、積層体５０を卓上シート収納容器１００に一方向のみから収納するようになる。そのため、前面２の上端から表出するシート状物品５１の表面に必ず両端縁５１ａ、５１ｂが現れるようになる。
さらに、各シート状物品５１、５２・・・を軸線方向Ｌに垂直な方向に２つ折りすると、各シート状物品５１、５２・・・の表面と裏面のいずれにも両端縁が現れる。従って、積層体５０の表裏を逆にして卓上シート収納容器１００に収納しても、前面２側にシート状物品５１の両端縁５１ａ、５１ｂが必ず現れるようになる。
【００２５】
図５は、折り方をさらに変えた各シート状物品５１、５２・・・を図１の上側から見た断面図である。シート状物品５１はＺ折りされており、一方の端縁５１ａが中央部近傍に折り返され、他の端縁５１ｂがシート状物品５１の端部まで折り返されている（シート状物品５２以降も同様）。又、この実施形態においても、Ｚ折りした各シート状物品５１、５２・・・をＺ折り方向と垂直な方向に２つ折りしている。従って、各シート状物品５１、５２・・・の表面と裏面のいずれにも端縁５１ａが中央部近傍に折り返された部分が現れる。
このように、一方の端縁５１ａのみをシート状物品５１の中央部近傍に折り返しても、最も前方のシート状物品５１の表面を持つ際、表面に突出した端縁５１ａを掴むことができるので、シート状物品５１を取り出し易くなる。
【００２６】
図６は、後面４側から見た卓上シート収納容器１００の斜視図である。容器支持片２１は後面４の一部を切り抜いて形成され、軸線方向Ｌに沿う折線Ｃ１、Ｃ２でそれぞれ折り曲げて後面４に対して立設可能になっている。又、この例では、容器支持片２１は離間して２つ設けられている。
そして、略長辺状の容器支持片押さえ２３も後面４の一部を切り抜いて形成され、かつ容器支持片押さえ２３の一部は容器支持片２１を切り抜いて形成される。そして、容器支持片２１を軸線方向Ｌに垂直な折線Ｃ３で折り曲げると、容器支持片押さえ２３を切り抜いて形成された（容器支持片２１の）切り抜き角部２１ｘに容器支持片押さえ２３が係合し、容器支持片２１が折り畳まれないように固定する。なお、切り抜き角部２１ｘに当接する容器支持片押さえ２３はＶ状の切欠き（図７参照）２３ｙになっていて、切り抜き角部２１ｘに切欠き２３ｙが入り込んで固定を確実にしている。
【００２７】
図７は、卓上シート収納容器１００を組立てる前の折り畳んだ状態の斜視図である。なお、図７において、折線を一点鎖線で表す。
それぞれ前面２及び後面４の下端（特許請求の範囲の「一端」に相当、以下同様）２ｂ、４ｂには、折線を介してそれぞれ前面側フラップ１２及び後面側フラップ１４が連接されている。又、それぞれ側面５，７の下端５ｂ、７ｂには、それぞれ側面側フラップ１５，１７が連接されている。
前面側フラップ１２は、前面２の下端２ｂに平行な端縁の中央部１２ａが凹み、該端縁の両端１２ｂが中央部１２ａより突出している。又、後面側フラップ１４は、後面４の下端４ｂに平行な端縁の中央部１４ａが両端より突出している。側面側フラップ１５，１７は、前面２側の側端縁の先端が鉤状の突片１５ａを形成している。
【００２８】
図８は、各フラップ１２、１４、１５、１７を組合わせて底面９を形成した状態を示す。まず、胴部１０１を四角筒状に起函し、前面側フラップ１２及び後面側フラップ１４を折線で直角に折り曲げて互いに重ね合わせる。後面側フラップ１４の中央部１４ａの突出長さ（折線からの距離）は、前面側フラップ１２の中央部１２ａの突出長さより長く、前面側フラップ１２を後面側フラップ１４の上に重ね合わせることで、底面９となる面を形成することができる。
そして、側面側フラップ１５，１７をそれぞれ前面側フラップ１２の上に重ね、さらに突片１５ａを中央部１２ａの下に入れることで、側面側フラップ１５，１７が前面側フラップ１２に係合し、前面側フラップ１２と後面側フラップ１４とで形成される面が抜けることがなく、底面９を形成する。
【００２９】
次に、図９を参照し、本発明の第２の実施形態に係る卓上シート収納容器１１０について説明する。図９は、支持対象２００上に卓上シート収納容器１１０を設置した状態の側面図を示す。
卓上シート収納容器１１０の底面１０９は、前面２から後面４に向かって略台形の容器支持片２１の側端２１Ｌと一直線上に並ぶように傾斜している。このようにすると、容器支持片２１の側端２１Ｌに加え、底面１０９全体が支持対象２００に接するので、卓上シート収納容器１００をさらに安定して設置できる。
【００３０】
次に、図１０を参照し、本発明の第１の実施形態に係るシート状物品収納セットについて説明する。シート状物品収納セット５００は、上記した積層体５０と卓上シート収納容器１００とを包装体８０でパックしてなる。この実施形態では、積層体５０は３個パックされると共に、卓上シート収納容器１００は展開されて平面状となり、前面と後面とが接するように胴部１０１が折畳まれている。又、各積層体５０もそれぞれ包装７０により包装されている。
このように、積層方向が前面に垂直になるようにして積層体を卓上シート収納容器に収納することで、積層体の厚みを適度に薄くすれば卓上シート収納容器の厚みも薄くなり、卓上シート収納容器を省スペースにすることができる。又、卓上シート収納容器１００を折畳み可能とすると、卓上シート収納容器１００をコンパクトに折畳んで積層体５０とパックすることができ、積層体とまとめたセット品として流通、販売することで商品の陳列スペースが小さくなると共に、消費者にとっても消耗品として購入しやすく便利である。
なお、包装７０、８０は特に制限されないが、たとえば各種プラスチックフィルムを用いることができる。
【００３１】
ここで、図１１に示すように、積層体５０の包装７０に、該包装７０を破断するガイド７１が設けられていると好ましい。ガイドとしては、例えばカットテープ又はミシン目が用いられる。又、このガイド７１は、卓上シート収納容器１００に積層体５０を収納したとき、積層体の表出高さＬｅ近傍（前面２の上端２ａ近傍）に沿って横方向に設けられているのがよい。このようにすると、ガイド７１で包装７０を破断したとき、前面２の上端２ａから積層体５０が表出するとともに、上端２ａより下側の積層体５０には包装７０が残り、積層体５０への汚れの付着等を防止できる。
なお、ガイド７１は、表出高さＬｅに沿い、さらに側面側ガイド７２に至るまで延びている。側面側ガイド７２を設け、後面側の包装７０を破断しないことで、後面側の包装７０を支点にしてガイド７１より上側の包装７０を開閉することができる。つまり、使用時にはガイド７１より上側の包装７０を開いて前面２の上端２ａから積層体５０を表出させ、使用しない時にはガイド７１より上側の包装７０を積層体５０に被せ、積層体５０への汚れの付着等を防止できる。
もちろん、側面側ガイド７２に沿って後面側まで包装７０を全周で破断し、常に前面２の上端２ａから積層体５０を表出させてもよい。
【００３２】
また、卓上シート収納容器１００に収納する際に積層体５０の上側が認識できるよう、ガイド７１より上側の包装７０に、上側の表記７５を印字してもよい。この場合、図１１に示すように、卓上シート収納容器１００に収納した際、２つ折りした各シート状物品５１、５２の２つ折部５１ｕ、５２ｕが上側を向くよう、包装７０に表記７５を印字するとよい。このようにすると、表出した積層体５０に埃が溜まり難い。
【００３３】
次に、図１３を参照し、本発明の第２の実施形態に係るシート状物品収納セットについて説明する。シート状物品収納セット５１０は、上記した積層体５０と卓上シート収納容器１２０とを包装体８０でパックしてなる。シート状物品収納セット５１０において、卓上シート収納容器１２０以外の構成は第１の実施形態に係るシート状物品収納セット５００と同一であるので、同一部分の構成については同一符号を付して説明を省略する。
第２の実施形態においては、卓上シート収納容器１２０は折畳み可能でなく、プラスチックで一体成形したものになっている。この場合、卓上シート収納容器１２０を折畳むことができないため、卓上シート収納容器１２０内に１個の積層体５０（包装７０付き）を収納しつつ、交換用の２個の積層体５０をこれとまとめてパックすることで、第１の実施形態に係るシート状物品収納セット５００とほぼ同様な大きさとすることができ、積層体とまとめたセット品として流通、販売することで同様な効果が得られる。
【００３４】
又、卓上シート収納容器１２０において、横幅Ｗに沿う方向の２個の容器支持片２５の間隔を、積層体５０（包装７０付き）の横方向の寸法より大きくすれば、容器支持片２５の間に交換用の積層体５０を配置することができ、シート状物品収納セット５１０をさらにコンパクトにパックすることができる。
なお、卓上シート収納容器が折畳み可能でない場合、「折線」は存在しないので、特許請求の範囲において「稜線」と規定する。
【００３５】
本発明の卓上シート収納容器は、例えば板紙、プラスチック、金属等の材料から製造することができるが、これらに限られず、異なる種類の材料を組み合わせてもよい。又、本発明は上記実施形態に限定されない。
【符号の説明】
【００３６】
２                            前面
２ａ                          前面の他端
２ｂ                          前面の一端
４                            後面
４ａ                          後面の他端
４ｂ                          後面の一端
５、７                        側面
５ａ、７ａ                    側面の他端
５ｂ、７ｂ                    側面の一端
９、１０９                    底面
２１、２５                    容器支持片
２１ａ                        容器支持片の端部
５０                          積層体
５１、５２                    シート状物品
１００、１１０、１２０        卓上シート収納容器
１０１                        胴部
１００ａ                      開口
２００                        支持対象
２００ｎ                      支持対象の垂線
５００、５１０                シート状物品収納セット
Ｃ４                          後面と底面との稜線（折線）
【図１】
2011251714.tif 000003
【図２】
2011251714.tif 000004
【図３】
2011251714.tif 000005
【図４】
2011251714.tif 000006
【図５】
2011251714.tif 000007
【図６】
2011251714.tif 000008
【図７】
2011251714.tif 000009
【図８】
2011251714.tif 000010
【図９】
2011251714.tif 000011
【図１０】
2011251714.tif 000012
【図１１】
2011251714.tif 000013
【図１２】
2011251714.tif 000014
【図１３】
2011251714.tif 000015